(57)【要約】      （修正有）【課題】ヘルメットを傷つけることなく安定して保持することのできるヘルメットスタンドを提供する。【解決手段】ヘルメットを保持するためのヘルメットスタンド１０は、ヘルメットを保持する保持部材１２、および保持部材１２を覆う外被部材１４を備える。外被部材１４は、保持部材１２の側面に沿って設けられる筒状部１６、筒状部１６の下端部１８に接合される底面カバー２０、および筒状部１６に接続されかつ保持部材１２の上面を覆う上面カバー２２を含む。筒状部１６には保持部材１２よりも伸縮性が低く、上面カバー２２の第１部分４６よりも柔軟性が低い素材を用いる。【選択図】図１
0003157324.tif 000002
【実用新案登録請求の範囲】
【請求項１】
ヘルメットを保持する保持部材と、
前記保持部材を覆う外被部材とを備え、
前記外被部材は前記保持部材の側面に沿って設けられる筒状部と前記筒状部に接続されかつ前記保持部材の上面を覆うように設けられる上面カバーとを含み、
前記筒状部は前記保持部材よりも伸縮性が低く、
前記上面カバーは前記筒状部よりも柔軟性が高い第１部分を有する、ヘルメットスタンド。
【請求項２】
前記上面カバーは前記第１部分よりも伸縮性が低い第２部分をさらに有し、
前記第１部分は中空部を有し前記筒状部の上端部に沿って環状に設けられかつ前記筒状部に接続され、
前記第２部分は前記第１部分の前記中空部に設けられかつ前記第１部分に接続される、請求項１に記載のヘルメットスタンド。
【請求項３】
前記保持部材は上面に凹部を有する、請求項１または２に記載のヘルメットスタンド。
【請求項４】
前記外被部材は前記保持部材の底面を覆う底面カバーをさらに含む、請求項１から３のいずれかに記載のヘルメットスタンド。
【請求項５】
前記底面カバーは防水素材を含む、請求項４に記載のヘルメットスタンド。
【請求項６】
前記保持部材は前記外被部材に対して分離可能である、請求項１から５のいずれかに記載のヘルメットスタンド。
【請求項７】
前記保持部材の上端部は前記筒状部の上端部よりも鉛直方向に突出する、請求項１から６のいずれかに記載のヘルメットスタンド。
【請求項８】
前記保持部材は環状の上端面を有する、請求項６に記載のヘルメットスタンド。
【考案の詳細な説明】
【技術分野】
【０００１】
この考案はヘルメットスタンドに関し、より特定的には上面でヘルメットを保持するヘルメットスタンドに関する。
【背景技術】
【０００２】
ヘルメットを保持するためのヘルメットスタンドとして、上面でヘルメットを保持するヘルメットスタンドがある。たとえば、非特許文献１に公開されているヘルメットスタンドは、布地で覆った弾性体を連結して略五角形の環状に形成されたものであり、上面でヘルメットを保持することができる。
【０００３】
また、たとえば、図６に示すようなヘルメットスタンド１も一般的に用いられている。ヘルメットスタンド１は鉛直方向に厚みをもつ中空円環形状を有し、素材は硬質のウレタンである。ヘルメットスタンド１は、中心に向かうにつれて鉛直方向の厚みが小さくなり、上面でヘルメットを保持することができる。
【先行技術文献】
【非特許文献】
【０００４】
【非特許文献１】トゥッカーノウルバーノ株式会社（ｔｕｃａｎｏ  ｕｒｂａｎｏ  ｓｒｌ）ホームページ、［ｏｎｌｉｎｅ］、［平成２１年１０月１日検索］、インターネット〈ＵＲＬ：ｈｔｔｐ：／／ｗｗｗ．ｔｕｃａｎｏｕｒｂａｎｏ．ｃｏｍ／ｍａｉｎ／ｐｒｏｄｏｔｔｉ．ａｓｐｘ？ｔｙｐｅ＝ａｃｃｅｓｓｏｒｉ〉
【考案の概要】
【考案が解決しようとする課題】
【０００５】
しかし、非特許文献１に公開されているヘルメットスタンドでは、ヘルメットをヘルメットスタンドの中心からずらして載せた場合、ヘルメットスタンドにおいてヘルメットの重心に近い部分が他の部分に比べて外側へ大きく変形する。それにより、ヘルメットの重心がヘルメットスタンドの中心からさらにずれてしまい、ヘルメットが大きく傾く場合がある。そのため、非特許文献１に公開されているヘルメットスタンドはヘルメットを安定して保持することができない場合がある。
【０００６】
また、図６に示すヘルメットスタンド１は、伸縮性が低いため、ヘルメットスタンド１にヘルメットを載せる際、ヘルメットを傷つけてしまう場合がある。さらに、ヘルメットにデザインとして凹凸が形成されたり付属品（装飾品）が設けられていると、ヘルメットとヘルメットスタンド１との接触面積が小さくなり、ヘルメットスタンド１はヘルメットを安定して保持することができない。
【０００７】
それゆえに、この考案の主たる目的は、ヘルメットを傷つけることなく安定して保持することのできるヘルメットスタンドを提供することである。
【課題を解決するための手段】
【０００８】
上述の目的を達成するために、請求項１に記載のヘルメットスタンドは、ヘルメットを保持する保持部材と、保持部材を覆う外被部材とを備え、外被部材は保持部材の側面に沿って設けられる筒状部と筒状部に接続されかつ保持部材の上面を覆うように設けられる上面カバーとを含み、筒状部は保持部材よりも伸縮性が低く、上面カバーは筒状部よりも柔軟性が高い第１部分を有することを特徴とする。
【０００９】
請求項２に記載のヘルメットスタンドは、請求項１に記載のヘルメットスタンドにおいて、上面カバーは第１部分よりも伸縮性が低い第２部分をさらに有し、第１部分は中空部を有し筒状部の上端部に沿って環状に設けられかつ筒状部に接続され、第２部分は第１部分の中空部に設けられかつ第１部分に接続されることを特徴とする。
【００１０】
請求項３に記載のヘルメットスタンドは、請求項１または２に記載のヘルメットスタンドにおいて、保持部材は上面に凹部を有することを特徴とする。
【００１１】
請求項４に記載のヘルメットスタンドは、請求項１から３のいずれかに記載のヘルメットスタンドにおいて、外被部材は保持部材の底面を覆う底面カバーをさらに含むことを特徴とする。
【００１２】
請求項５に記載のヘルメットスタンドは、請求項４に記載のヘルメットスタンドにおいて、底面カバーは防水素材を含むことを特徴とする。
【００１３】
請求項６に記載のヘルメットスタンドは、請求項１から５のいずれかに記載のヘルメットスタンドにおいて、保持部材は外被部材に対して分離可能であることを特徴とする。
【００１４】
請求項７に記載のヘルメットスタンドは、請求項１から６のいずれかに記載のヘルメットスタンドにおいて、保持部材の上端部は筒状部の上端部よりも鉛直方向に突出することを特徴とする。
【００１５】
請求項８に記載のヘルメットスタンドは、請求項６に記載のヘルメットスタンドにおいて、保持部材は環状の上端面を有することを特徴とする。
【００１６】
請求項１に記載のヘルメットスタンドでは、ヘルメットをヘルメットスタンドの上面で保持するとき、保持部材よりも伸縮性が低い筒状部によって保持部材の径方向外側への変形が抑えられる。そのため、ヘルメットをヘルメットスタンドの中心からずらして載せても、保持部材の一部（ヘルメットの重心に近い部分）が他の部分に比べて外側へ大きく変形することを防止できる。したがって、ヘルメットが大きく傾くことが防止され、ヘルメットは安定して保持される。また、上述のように外被部材の筒状部によって保持部材の径方向外側への変形が抑えられるので、保持部材には伸縮性が高い素材を用いることができる。さらに、外被部材の上面カバーは筒状部よりも柔軟性が高い第１部分を有する。保持部材に伸縮性が高い素材を用い、保持部材の上面を覆う上面カバーにヘルメットの表面形状に沿って変形するような柔軟性が高い素材を用いることで、ヘルメットが傷つくことを防止できる。さらに、ヘルメットにデザインとして凹凸が形成されたり付属品（装飾品）が設けられていても、保持部材および上面カバーはヘルメットの表面形状に沿って変形するため、ヘルメットは安定して保持される。
【００１７】
請求項２に記載のヘルメットスタンドでは、外被部材の上面カバーにおいて、たとえばヘルメットの重量が最もかかる部分を第１部分よりも伸縮性が低い第２部分にすることで、上面カバーの耐久性を向上できる。また、筒状部の上端部に沿って設けられる第１部分は、筒状部および第２部分よりも伸縮性が高い。ヘルメットをヘルメットスタンドに載せたとき、上面カバーは鉛直方向下向きに押されるが、第１部分が伸びることで、筒状部において上面カバーと接続している箇所にかかる力が分散される。そのため、筒状部と上面カバーとの接続がはずれることが防止される。したがって、ヘルメットスタンドの耐久性を向上できる。
【００１８】
請求項３に記載のヘルメットスタンドでは、保持部材は上面に凹部を有する。この場合、ヘルメットの頭頂部が保持部材の凹部に嵌るように、ヘルメットをヘルメットスタンドに載せることができるので、ヘルメットスタンドはヘルメットをより安定して保持することができる。また、保持部材は、底部を有するため、ヘルメットをヘルメットスタンドに載せる際に大きな衝撃が発生することを防止できる。そのため、ヘルメットの頭頂部が傷つくことを防止できる。さらに、底部を有することによって、保持部材の高さを低くすることができるため、ヘルメットスタンドをより小さくできる。
【００１９】
請求項４に記載のヘルメットスタンドでは、保持部材の底面を覆う底面カバーによって、保持部材がヘルメットスタンドを置いた面に接触することを防止できる。そのため、保持部材が汚れたり傷ついたりすることを防止できる。
【００２０】
請求項５に記載のヘルメットスタンドでは、底面カバーが防水素材を含むことにより、ヘルメットスタンドを置く場所が濡れていても底面カバーが水を通さないため、ヘルメットスタンドにおける底面カバーより上の部分が水に濡れることはない。したがって、保持部材およびヘルメットが濡れることを防止できる。また、濡れていない場所に置かれたヘルメットスタンドに濡れたヘルメットを載せる場合でも、底面カバーが水を通さないため底面カバーより下の部分が水に濡れることはない。したがって、ヘルメットスタンドを置く場所が濡れることを防止できる。
【００２１】
請求項６に記載のヘルメットスタンドでは、保持部材を外被部材から分離できるため、外被部材から保持部材を取り外して外被部材を洗濯等することができる。
【００２２】
請求項７に記載のヘルメットスタンドでは、保持部材の上端部が筒状部の上端部よりも鉛直方向に突出するため、ヘルメットが筒状部に接触することを防止できる。したがって、ヘルメットが筒状部に接触して傷つくことを防止できる。
【００２３】
請求項８に記載のヘルメットスタンドでは、保持部材が環状の上端面を有する、つまり保持部材の上端に幅を持たせることで、外被部材と保持部材の上端部とを一緒に掴んで保持部材の上端部がちぎれてしまうことを防止できる。
【００２４】
なお、「伸縮性」とは負荷応力に対する伸び量の程度を示し、「伸縮性が高い」とは負荷応力に対する伸び量が大きいことを表わし、「伸縮性が低い」とは負荷応力に対する伸び量が小さいことを表わす。
【００２５】
また、「柔軟性」とは外部から与えられた力に対する曲がりやすさを示し、「柔軟性が高い」とは外部から与えられた力に対して曲がりやすいことを表わし、「柔軟性が低い」とは外部から与えられた力に対して曲がりにくいことを表わす。なお、同じ材料からなる部材でも、部材の厚みや密度等の条件によって柔軟性は変化する。
【考案の効果】
【００２６】
この考案によれば、ヘルメットを傷つけることなく安定して保持することのできるヘルメットスタンドを得ることができる。
【図面の簡単な説明】
【００２７】
【図１】（ａ）はこの考案の一実施形態のヘルメットスタンドを示す斜視図であり、（ｂ）は（ａ）のＡ−Ａ断面を示す断面図である。
【図２】図１のヘルメットスタンドから保持部材を取り出した状態を示す斜視図である。
【図３】図２に示される保持部材の製造工程を示す図解図である。
【図４】図１のヘルメットスタンドにヘルメットを載せた状態を示す斜視図である。
【図５】図１のヘルメットスタンドにおいて外被部材から保持部材を取り外す状況を示した模式図である。
【図６】従来のヘルメットスタンドを示す斜視図である。
【考案を実施するための形態】
【００２８】
以下、この考案の実施形態について図面を参照して説明する。
この考案の実施形態における鉛直および水平とは、底面カバー２０（図１参照）が水平面（地面）に接するようにヘルメットスタンド１０（図１参照）を置いたときを基準とした鉛直および水平を意味する。
【００２９】
図１（ａ）は、この考案の一実施形態のヘルメットスタンド１０を示す斜視図であり、図１（ｂ）は、図１（ａ）のヘルメットスタンド１０におけるＡ−Ａ断面を示す断面図である。図２は、ヘルメットスタンド１０から保持部材１２を取り出した状態を示す斜視図である。
【００３０】
図１および図２を参照して、ヘルメットスタンド１０は、ヘルメット６０（後述）を保持する保持部材１２、および保持部材１２を覆う外被部材１４を備える。外被部材１４は、保持部材１２の側面に沿って設けられる筒状部１６、筒状部１６の下端部１８に接合される底面カバー２０、および保持部材１２の上面を覆う上面カバー２２を含む。
【００３１】
図１を参照して、筒状部１６は、主要部２４と開閉部２６と整合部２８とを有する。主要部２４は、たとえば軸方向に貫通する円筒形状を有し、開閉部２６および整合部２８によって底面カバー２０と連接される。開閉部２６は、ファスナー３０を含み、ファスナー３０によって開閉可能となり、主要部２４の下端３２と底面カバー２０の縁とを連接する。整合部２８は鉛直方向における筒状部１６全周の高さを揃えるために開閉部２６と同じ高さであり、主要部２４の下端３２と底面カバー２０の縁とを連接する。開閉部２６と整合部２８とによって、主要部２４の下端３２の全周と底面カバー２０の全周とが連接される。また、筒状部１６には保持部材１２よりも伸縮性が低く、上面カバー２２の第１部分４６（後述）よりも柔軟性が低い素材を用いる。筒状部１６の素材としては、たとえばポリ塩化ビニル、クロロプレンゴム又は皮革のような伸縮性および柔軟性が低く型崩れし難い素材を用いることが好ましい。なお、図１、図２および図４に示される筒状部１６において、主要部２４の上端付近を筒状部１６の上端部３４とする。
【００３２】
底面カバー２０は、たとえば円板形状を有し、保持部材１２の底面を覆う。底面カバー２０は防水素材を含む。底面カバー２０の素材としては、たとえばポリ塩化ビニルやクロロプレンゴムのような素材を用いることが好ましい。
【００３３】
図１および図２を参照して、保持部材１２は、外被部材１４に覆われ、ファスナー３０を開けることで外被部材１４から分離することができる。保持部材１２は、傾斜部３６および底部３８を含む。傾斜部３６はたとえば中心に向かうにつれて鉛直方向の厚みが小さくなるように上面が傾斜する円環形状を有し、底部３８はたとえば円板形状を有し、傾斜部３６は底部３８の上面に接着される。そのため、保持部材１２は上面に凹部３９を有すの弾性体を用いることが好ましく、たとえばポリウレタン製やポリエチレン製のスポンジ（発泡体）を用いることが好ましい。なお、傾斜部３６の径方向の断面はたとえば台形の形状を有し、傾斜部３６は環状の上端面４０を有する。また、図１（ｂ）および図２の保持部材１２において、傾斜部３６の上端面４０付近を保持部材１２の上端部４２とすると、保持部材１２の上端部４２は筒状部１６の上端部３４よりも鉛直方向に突出し、保持部材１２の高さは筒状部１６の高さよりも高くなる。
【００３４】
再び図１を参照して、上面カバー２２は、筒状部１６よりも柔軟性が高くかつ中空部４４を有するたとえば円環状の第１部分４６と、第１部分４６よりも伸縮性が低いたとえば円板状の第２部分４８とを有する。第１部分４６には、たとえばフリース、フランネル、コーデュロイなどの起毛繊維のような柔軟な素材を用いることが好ましく、第１部分４６は主に傾斜部３６の上面を覆う。第２部分４８には、たとえばポリ塩化ビニルやクロロプレンゴムのような型崩れしない素材を用いることが好ましく、第２部分４８は主に底部３８の上面を覆う。また、第２部分４８には、ヘルメットと接触する面を滑りにくくするためにシボ加工を施してもよい。第２部分４８は第１部分４６の中空部４４を塞ぐように第１部分４６の内縁に縫い付けられ、第１部分４６の外縁は筒状部１６の上端部３４に縫い付けられる。なお、図１（ｂ）において第１部分４６の中空部４４は、破線で示され第２部分４８によって塞がれている第１部分４６の中央の穴をさす。
【００３５】
次に図３を参照して、保持部材１２の製造方法の一例について説明する。下記のＡ〜Ｇは、図３に矢印で示される部分の寸法である。
図３（ａ）は保持部材１２の素材となる素材板５０である。素材板５０は、厚みＡが５０ｍｍの直方体形状を有する。まず、素材板５０を、幅Ｂが６０ｍｍとなるように一点鎖線部分で切断し、図３（ｂ）に示される角柱体５２を切り出す。次に、角柱体５２を、幅Ｃが５ｍｍおよび角度Ｄが４５°となるように一点鎖線部分で切断し、図３（ｃ）に示される台形型角柱体５４を切り出す。このようにして切り出された台形型角柱体５４の、台形状の側面５６および下面５８に接着剤を塗布し、台形型角柱体５４を図３（ｄ）のように環状に丸めながら、図３（ｅ）に示される底部３８の上面に接着する。底部３８は、直径Ｅが２３０ｍｍ、高さＦが２０ｍｍの円板形状を有し、素材板５０と同じ素材から底部３８を切り出すための専用の型を用いて切り出されたものである。なお、台形型角柱体５４を図３（ｄ）のように丸めて内径Ｇが１２０ｍｍの円環形状にすることで前述した傾斜部３６になる。このように、傾斜部３６と底部３８とを接着し、図３（ｆ）に示される保持部材１２が完成する。
【００３６】
上述の製造工程では、台形型角柱体５４によって傾斜部３６を作製しているが、素材板５０から角柱体５２を切り出す際、および角柱体５２から台形型角柱体５４を切り出す際に角柱体５２および台形型角柱体５４を切り出すための専用の型を必要としない。そのため、製造設備にかかる費用を削減することができる。したがって、ヘルメットスタンド１０の製造コストを削減することができる。なお、上述の製造方法および寸法は一例であり、適宜変更してもよい。
【００３７】
図４は、ヘルメットスタンド１０にヘルメット６０を載せた状態を示す図である。このとき保持部材１２および上面カバー２２はヘルメット６０の重さにより変形するが、保持部材１２よりも伸縮性が低い筒状部１６が保持部材１２の径方向外側への変形を抑えるため、保持部材１２の一部のみが大きく変形することを防止できる。そのため、ヘルメット６０をヘルメットスタンド１０の中心からずらして載せても、ヘルメットスタンド１０においてヘルメット６０の重心に近い部分のみが大きく変形することはない。したがって、ヘルメット６０は大きく傾くことなく安定して保持される。また、保持部材１２および上面カバー２２は、ヘルメット６０の表面形状に沿って変形するため、ヘルメット６０を傷つけることはなく、ヘルメット６０にデザインとして凹凸が形成されたり付属品（装飾品）が設けられる場合でも、ヘルメットスタンド１０はヘルメット６０を安定して保持することができる。なお、筒状部１６は伸縮性が低いため、筒状部１６の外表面に文字や模様等を印刷すると、ヘルメット６０がヘルメットスタンド１０に保持されている状態でも印刷された文字や模様等の形状は崩れることがなく明瞭に表示される。
【００３８】
上面カバー２２において、ヘルメット６０の重量が最もかかる中央部分を、第１部分４６よりも伸縮性が低い第２部分４８にすることで、上面カバー２２の耐久性を向上できる。また、ヘルメットスタンド１０がヘルメット６０を保持する際、上面カバー２２は鉛直方向下向きに押されるが、第１部分４６が伸びることで筒状部１６において上面カバー２２と接続している箇所、すなわち筒状部１６の上端部３４にかかる力が分散される。そのため、筒状部１６と上面カバー２２との接続がはずれることが防止される。したがって、ヘルメットスタンド１０の耐久性を向上できる。また、筒状部１６は、上面カバー２２の第１部分４６よりも柔軟性が低い。そのため、第１部分４６から筒状部１６に対して水平方向に引っ張る力がかかっても筒状部１６は変形しにくい。それによりヘルメットスタンド１０自体の変形が抑制され、ヘルメットスタンド１０はヘルメット６０をより安定して保持することができる。
【００３９】
保持部材１２は上面に凹部３９を有する。この場合、ヘルメット６０の頭頂部が保持部材１２の凹部３９に嵌るように、ヘルメット６０をヘルメットスタンド１０に載せることができるので、ヘルメットスタンド１０はヘルメット６０をより安定して保持することができる。また、保持部材１２は、底部３８を有するため、ヘルメット６０をヘルメットスタンド１０に載せる際に大きな衝撃が発生することを防止できる。そのため、ヘルメット６０の頭頂部が傷つくことを防止できる。さらに、従来のヘルメットスタンドでは、ヘルメットの頭頂部が傷付くことを防止するため、ヘルメットスタンドの高さを高くする必要があるが、この実施形態のヘルメットスタンド１０では、底部３８によってヘルメット６０の頭頂部が傷つくことを防止できるので、保持部材１２の高さを低くすることができる。そのため、ヘルメットスタンド１０をより小さくできる。
【００４０】
さらに、保持部材１２の底面は底面カバー２０によって覆われているため、保持部材１２はヘルメットスタンド１０を置いた面に接触することはない。したがって、保持部材１２が汚れたり傷ついたりすることを防止できる。また、底面カバー２０が防水素材を含むことによりヘルメットスタンド１０を置く場所が濡れていても底面カバー２０が水を通さないため、ヘルメットスタンド１０における底面カバー２０より上の部分が水に濡れることはない。したがって、保持部材１２およびヘルメット６０が濡れることを防止できる。また、濡れていない場所に置かれたヘルメットスタンド１０に濡れたヘルメット６０を載せる場合でも、底面カバー２０が水を通さないため底面カバー２０より下の部分が水に濡れることはない。したがって、ヘルメットスタンド１０を置く場所が濡れることを防止できる。
【００４１】
保持部材１２は、外被部材１４から分離可能である。そのため、ヘルメットスタンド１０が濡れた場合、ヘルメットスタンド１０から保持部材１２を分離して、濡れた保持部材１２および外被部材１４を別々に乾燥することができる。また、外被部材１４を洗濯等することもできる。
【００４２】
また、保持部材１２の上端部４２は筒状部１６の上端部３４よりも鉛直方向に突出するため、ヘルメット６０をヘルメットスタンド１０に載せるとき、ヘルメット６０が筒状部１６の上端部３４に接触することを防止できる。したがって、ヘルメット６０が傷つくことを防止できる。
【００４３】
この実施形態のヘルメットスタンド１０では、保持部材１２は環状の上端面４０を有する、つまり保持部材１２の上端は幅をもつ。以下、図５を参照して、保持部材１２の上端が幅をもつことの効果を説明する。
【００４４】
図５（ａ）は、ヘルメットスタンド１０の保持部材１２において、外被部材１４から保持部材１２を取り外すために外被部材１４を掴んでいる状態を示している。保持部材１２が上端に幅をもつと、外被部材１４から保持部材１２を取り外すとき、保持部材１２と外被部材１４とを一緒に掴んだことに気づきやすい。そのため、図５（ｂ）に示すように、保持部材１２と外被部材１４とを一緒に掴まないように、一旦外被部材１４を僅かな力で引っ張ることで外被部材１４だけを掴める状態にすることができる。その後、図５（ｃ）に示すように、外被部材１４を強く掴んで保持部材１２を引っ張ることで、保持部材１２はちぎれることなく外被部材１４から取り外される。したがって、保持部材１２が環状の上端面４０を有することで、保持部材１２がちぎれることを防止できる。
【００４５】
なお、上述の実施形態において、開閉部２６はファスナー３０を有するが、ファスナー３０の代わりに、たとえば、ボタンや面ファスナーといった開閉可能な接合部材を用いることもできる。
【００４６】
また、筒状部１６は、複数の筒状片を組み立てて形成されてもよく、また、角筒状に形成されてもよい。
【００４７】
上面カバー２２は、保持部材１２が乾きやすいように網目状のものを用いてもよい。
【００４８】
底部３８には、水や湿気を抜くための小さな貫通孔を設けてもよい。
【符号の説明】
【００４９】
１０      ヘルメットスタンド
１２      保持部材
１４      外被部材
１６      筒状部
２０      底面カバー
２２      上面カバー
２４      主要部
２６      開閉部
２８      整合部
３６      傾斜部
３８      底部
４６      第１部分
４８      第２部分
【図１】
0003157324.tif 000003
【図２】
0003157324.tif 000004
【図３】
0003157324.tif 000005
【図４】
0003157324.tif 000006
【図５】
0003157324.tif 000007
【図６】
0003157324.tif 000008